(57)【要約】【課題】墨出しの順序を一定の基準でわかりやすく指示する情報が記載されているとともに、施工後に、住宅設備や建具を据え付けたときに間仕切り壁との間に隙間ができないように正確に墨出しをする。【解決手段】バス、システムキッチン等の住戸設備または収納設備が施工される部屋を区画する間仕切り壁から墨出しの優先して墨出しを行い、前記住戸設備、収納設備の施工工事のない部屋を区画する間仕切り壁の墨出しを最後にする。【選択図】  図２
2004300829.tif 000002
【特許請求の範囲】
【請求項１】
ユニットバス、システムキッチン等の住宅設備または収納設備が施工される部屋を区画する間仕切り壁から優先して墨出しを行い、誤差を補償する逃げを設ける部屋を予め定め、その部屋を区画する間仕切り壁の墨出しを最後にすることを特徴とする住宅内装施工における墨出し手順。
【請求項２】
住宅内のフカシ壁、部屋を区画する間仕切り壁、ユニットバス、システムキッチン等の住宅設備または収納設備の配置を記載するとともに、前記住宅設備または収納設備が施工される部屋を区画する間仕切り壁から優先して行う墨出しの高い優先順位を表示し、誤差を補償する逃げを設ける部屋を予め定め、その部屋を区画する間仕切り壁の墨出しを最後にする一連の墨出し手順を示す表示を記載したことを特徴とする住宅内装施工における墨出し手順を記載した墨出し専用図面。
【請求項３】
請求項２に記載の墨出し専用図面を記憶したことを特徴とする記録媒体。
【発明の詳細な説明】
【０００１】
【発明の属する技術分野】
本発明は、住宅内装施工における墨出し手順および墨出し手順を記載した墨出し専用図面並びにその記録媒体に関する。
【０００２】
【従来の技術】
建物の躯体が完成した後、住宅の内装の施工工事を始めるにあたっては、まず最初に設計図面と照らし合わせながら、住戸の間取りを区画する間仕切壁の位置を示す線や、開口部の位置を示す線を床に引く必要がある。この作業は、墨出しと呼ばれており、この墨出しを正確に行うことは、後工程を進める上で極めて重要である。
【０００３】
従来、墨出しは、住戸の平面詳細図に基づいて行われている。平面詳細図は、部屋の間取り、壁の位置、寸法、建具や住宅設備の仕様、位置等、施工に必要な情報が詳細に記載されている設計図面である。内装施工に携わる大工は、墨壺と墨出し用の紐を使って、平面詳細図で確認しながら墨出しを行っている。
【０００４】
【発明が解決しようとする課題】
しかしながら、従来の墨出し作業では、どのような順序で線を引いていくかについては、墨出しに携わる大工によって人それぞれであって、個人的な経験に基づいて、各人それぞれが適当とする順序で墨出し作業を行っているのが実状である。このため、施工に携わる大工の経験、技能の程度によっては、墨出しの精度にばらつきがある場合がある。
【０００５】
また、一般に、墨出しを行うのは大工の職分であるが、墨出しにより引かれた線を基準に内装工事を進めていくのは、大工だけではなく、様々な職種の職人が関与してくる。例えば、墨出しにより引いた間仕切のセンタラインを基準にして内装工事をしていく場合をみると、ランナーや軽鉄を取り付けて間仕切り下地を施工していくのは軽鉄職人であり、その下地に建具枠を取り付けるのは大工であるというように、別々の職種が施工していくのが普通である。墨出しは正確にされても、下地の取付精度に狂いが出ると、建具枠と壁の間に隙間が不可避的に生じてしまうなどの不都合がある。
【０００６】
さらに、近年のように集合住宅の高層化が進んでくると、低層階と、高層階とでは、躯体の実際の寸法と設計図面上の寸法からとの間に誤差の生じる程度が異なってくることがある。このため、同一タイプの住戸について、低層階から高層階まで設計図面に基づいて正確に墨出しを行い、引いた線を基準にして正確に間仕切りを施工していったたとしても、高層階の住戸では、施工精度の誤差が大きくなるという問題がある。
【０００７】
そこで、本発明の目的は、前記従来技術の有する問題点を解消し、墨出しの順序を一定の基準でわかりやすく指示する情報が記載されているとともに、施工後に、住宅設備や建具を据え付けたときに間仕切り壁との間に隙間ができないように正確に墨出しをすることのできる住宅内装施工における墨出し手順およびその墨出し手順を記載した墨出し専用図面並びにその記録媒体を提供することにある。
【０００８】
【課題を解決するための手段】
前記の目的を達成するために、請求項１に係る発明は、ユニットバス、システムキッチン等の住宅設備または収納設備が施工される部屋を区画する間仕切り壁から優先して墨出しを行い、誤差を補償する逃げを設ける部屋を予め定め、その部屋を区画する間仕切り壁の墨出しを最後にすることを特徴とするものである。
【０００９】
また、請求項２に係る発明は、住宅内のフカシ壁、部屋を区画する間仕切り壁、ユニットバス、システムキッチン等の住宅設備または収納設備の配置を記載するとともに、前記住宅設備または収納設備が施工される部屋を区画する間仕切り壁から優先して行う墨出しの高い優先順位を表示し、誤差を補償する逃げを設ける部屋を予め定め、その部屋を区画する間仕切り壁の墨出しを最後にする一連の墨出し手順を示す表示を記載したことを特徴とするものである。
【００１０】
【発明の実施の形態】
以下、本発明の一実施形態について、添付の図面を参照しながら説明する。
図１は、本発明による墨出し手順が適用される集合住宅の３ＬＤＫの住戸の間取りを示す図である。
【００１１】
この住戸の部屋構成は、洋室が２部屋、和室が１部屋およびリビングダイニングである。玄関から入って左手が和室になって、玄関から入って真っ直ぐがリビングで、右手側に廊下が延び、廊下の手前側にトイレ、洗面室、浴室が設けられ、廊下を隔てて向こう側に洋室が２部屋並んでいる。
【００１２】
この住戸では、住宅設備や収納設備として次のようなものがある。大きな住宅設備としては、リビングダイニングのシステムキッチン、浴室のユニットバス、洗面室の洗面化粧台、トイレの洗面台がある。
また、収納設備としては、大きなものとしては、和室の押入れ、玄関の下駄箱、玄関収納、トイレの吊り収納、第１洋室のウォークインクローゼット、第２洋室の収納がある。
【００１３】
次に、図２は、本発明の実施形態による墨出し専用図面の一例を示す図で、図１の住戸の内装施工工事の墨出し作業に用いられる図面である。このような墨出し図面は、ＣＡＤまたは手書きによって作成され、図面は、印刷物または複製物の形で使われる他、ＣＤ−ＲＯＭ、フロッピーディスクを始めとする記憶媒体に記憶されて頒布される。また、モニターに図面を表示しても使用される。
【００１４】
この図２において、参照符号１０は、建物の躯体を構成し住戸の四方を囲む外壁を示す。外壁１０には、開口部の位置が記載されている。この外壁１０の内側に沿って、フカシ壁１２ａ乃至１２ｄが設けられる。このフカシ壁１２ａ乃至１２ｄの内側で、各部屋を区画する壁が間仕切り壁である。この墨出し図面では、すべての部屋について、各部屋を仕切る間仕切り壁が記載されている。
【００１５】
また、リビングダイニングであれば、どの位置にシステムキッチンが配置されるか、和室では押入れ、収納の配置はどこか、洗面所での洗面台、収納の位置、というように、すべての部屋について、住宅設備、収納の配置が一目でわかるように明確に記載されている。
【００１６】
さらに、図２に示されるように、墨出し図面には、間仕切り壁の位置を特定する数字（単位ｍｍ）が記載されている。この間仕切り壁の位置の基準となるのが基準線１４ａ乃至１４ｄである。この墨出し図面では、基準線１４ａ乃至１４ｄは、外壁１０の通り芯（一点鎖線で示す）から内側に１メートル平行に離れた位置に設定されている。
【００１７】
各部屋への出入口になり、扉などの建具枠が取り付けられる開口部については、間仕切り壁から何ｍｍというように寸法で位置が指定されている。
【００１８】
このような墨出し図面において、丸数字で示すのが墨出しの順序を示す表示である。この墨出し図面では、［１］から順に［１５］まで示している。墨出しの順序は、基本的に、フカシ壁の位置を示す墨出しを行い、次に、間仕切り壁の位置を特定する墨出しを行う。間仕切り壁については、住宅設備または収納設備が施工される部屋を区画する間仕切り壁の方を優先し、もっとも広く誤差を補償する逃げを設けるに適当である部屋を、この例ではリビングダイニングと決めておき、リビングダイニングを区画する間仕切り壁の墨出し順序を一番最後にしている。
【００１９】
以下、墨出しの手順について図２を参照しながら説明する。
まず、それぞれ外壁１０の通り芯と平行に内側１メートルの距離をとって基準線１４ａ乃至１４ｄを墨出しする。この基準線１４ａ乃至１４ｄについては、順序は特に指定されない。
【００２０】
次いで、［１］→［２］→［３］→［４］の順序で、基準線１４ａ乃至１４ｄの外側にフカシ壁１２ａ乃至１２ｄの位置を示す線の墨出しを行う。線は、辺フカシ壁の内側面に相当する位置である。優先順位は、玄関入口があり、浴室、洗面所、収納室、トイレがあり、住宅設備や収納が施工されるフカシ壁１２ａの位置を示す線の墨出しが最優先される。
【００２１】
そして、一番大きな住宅設備であるユニットバスが施工される浴室を仕切る間仕切り壁が高い優先順位を与えられ、［５］→［６］の順に墨出しをする。
【００２２】
［７］は、玄関ドアの芯の位置を出す墨出しで、［８］は玄関口の位置を出す墨出し、［９］、［１０］は玄関および収納室を区画する間仕切り壁の位置を出す墨出しである。［１１］は、開口の位置を出す墨出しである。こうして、玄関、収納室、洗面所、浴室の仕切る間仕切り壁について墨出しを［７］→［８］→［９］→［１０］→［１１］の順序で行うように指定されている。
次に優先順位が与えられるのは、墨出しは残りの比較的広い部屋、この場合、洋間を区画する間仕切り壁の墨出しである。［１２］は第２洋室とリングダイニングを仕切るとともにシステムキッチンが施工される間仕切り壁の位置を出す墨出しで、［１３］は第１洋室と第２洋室を仕切る間仕切り壁の位置を出す墨出しである。［１４］は第１洋室およびリビングダイニングと廊下を仕切る間仕切り壁の位置を出す墨出しである。［１２］→［１３］→［１４］の順で墨出しをすれば、第１洋間、第２洋間、キッチンを仕切る間仕切りの墨出しを円滑に行うことができる。なお、和室については、この実施形態では特に優先順位をつけていないが、和室には畳が入るため、和室を区画する間仕切り壁の位置を出す墨出しは、高い優先順位を与えることが好ましい。
【００２３】
［１５］はリビングダイニングにおいてキッチンの位置を仕切る間仕切りの位置を出す墨出しである。丸数字のついていない間仕切りは［１５］が終わってからすればよい。優先順位のない間仕切りは、リビングダイニング回りのものであり、リビングダイニングを逃げとするため、これらの墨出しの優先順位は最後とされる。
【００２４】
以上のように、指示された通りの順序で墨出しをしていけば、だれでも簡単に、順序をあれこれ考えることなく、墨出し作業を効率良く行うことができる。
【００２５】
しかも、順序通りにしていけば、リビングダイニングを逃げとするように墨出しが行えるので、施工後に誤差が生じても逃げとするリビングで補償することができるので、住宅設備や建具を据え付けたときに壁との間に隙間ができないようにすることができる。
【００２６】
以上、本発明について、リビングダイニングを逃げとする実施形態について説明したが、必ずしも逃げをとる部屋はリビングダイニングに限られるものではなく、例えば、広めの洋室を逃げとするようにもできる。
【００２７】
【発明の効果】
以上の説明から明らかなように、本発明によれば、墨出しの順序を一定の基準でわかりやすく指示する情報が記載されているので、順序にしたがって墨出しをしていけば、施工後に誤差が生じても逃げとする部屋で補償することができるので、住宅設備や建具を据え付けたときに壁との間に隙間ができないようにすることができ、住宅設備や建具を施工する箇所が狭すぎて入らないというような不都合を確実に防止することができる。
【図面の簡単な説明】
【図１】本発明による墨出し手順が適用される住居の間取り例を示す間取り図。
【図２】本発明の一実施形態による墨出し専用図面を示す図。
【符号の説明】
１０  外壁
１２ａ〜１２ｄ  フカシ壁
１４ａ〜１４ｄ  基準線
【図１】
2004300829.tif 000003
【図２】
2004300829.tif 000004
【手続補正書】
【提出日】平成15年4月16日(2003.4.16)
【手続補正１】
【補正対象書類名】図面
【補正対象項目名】全図
【補正方法】変更
【補正の内容】
【図１】
2004300829.tif 000005
【図２】
2004300829.tif 000006